(57)【要約】本発明は、記録可能媒体、例えば、記録可能ＤＶＤ媒体の種類媒体に記録するための装置であって、それらの媒体の多くが、現在、市販されている、装置に関する。媒体を受け入れ、その媒体が記録可能媒体である評価がなされるとき、その装置はその媒体を認識すること、即ち、その媒体の種類を認識することを試みる。その記録可能媒体が認識されない場合、読み取り動作は何れにしても実行される。このようにして、装置にとって既知でない記録可能媒体の種類に属す記録可能媒体にアクセスする可能性はオープンのまま保たれ、それにも拘らず、その装置は読み取ることができ、例えば、新たに導入される媒体の種類は装置にとって既知の媒体ファミリーに属す。ＤＶＤに記録するために装置に適用される場合、本発明はＤＶＤ＋Ｒ９媒体から読み取ることを可能にする。本発明は、更に、媒体にアクセスするための方法に関する。
2007511862.tif 000002
【特許請求の範囲】
【請求項１】
少なくとも１つの記録可能媒体の種類に属す記録可能媒体に記録するための装置であって：
媒体を受け取るとき、前記媒体が記録可能媒体であるかどうかを評価するための識別ユニット；
前記媒体に存在するユーザ情報を読み取るための読み取りユニット；
記録可能媒体の種類のテーブルであって、前記テーブルは各々の読み取り可能媒体の種類のための支持されているアクセス機能性の集合を有する、テーブル；
前記媒体が記録可能媒体であることを識別ユニットが評価するとき、記録可能媒体が属す前記記録可能媒体の種類を認識するための認識ユニット；
前記記録可能媒体が属す前記記録可能媒体の種類のための支持されているアクセス機能性の集合を可能にするためのイネーブルユニット；及び
前記記録可能媒体が属す前記テーブルに存在する前記記録可能媒体の種類を認識ユニットが認識することを失敗するとき、前記記録可能媒体に存在する前記ユーザ情報を前記読み取りユニットが読み取るように指令するためのユーザ情報回復ユニット；
を有することを特徴とする装置。
【請求項２】
請求項１に記載の装置であって、前記テーブルは記録可能ＤＶＤ媒体の種類を有する、ことを特徴とする装置。
【請求項３】
請求項２に記載の装置であって、前記テーブルは、特に、ＤＶＤ＋Ｒ、ＤＶＤ−Ｒ、ＤＶＤ＋ＲＷ及びＤＶＤ−ＲＷを有する、ことを特徴とする装置。
【請求項４】
媒体にアクセスするための方法であって：
前記媒体が記録可能媒体であるかどうかを評価するための識別段階；
記録可能媒体の種類のテーブルに基づいて、前記媒体が記録可能媒体であることを前記識別段階が評価する場合、前記テーブルは各々の記録可能媒体の種類を参照する支持されているアクセス機能性の集合を有し、前記記録媒体が属す前記記録媒体の種類を認識するための認識段階；
前記認識段階が、前記記録可能媒体が属す前記記録可能媒体の種類の認識で成功した場合、前記記録可能媒体が属す前記記録可能媒体の種類のための前記の支持されているアクセス機能性の集合を有効にするためのイネーブル段階；並びに
前記認識段階が、前記記録可能媒体が属す前記記録可能媒体を認識することを失敗した場合、前記読み取り可能媒体において存在する前記ユーザ情報を読み取るための読み取り段階；
を有することを特徴とする方法。
【発明の詳細な説明】
【技術分野】
【０００１】
本発明は、媒体にアクセスするための記録可能媒体に記録するための装置及び方法に関する。
【背景技術】
【０００２】
上記の種類の装置の具体例としては、例えば、ＤＶＤ＋ＲＷレコーダであるＰｈｉｌｉｐｓ社製の型式ＤＶＤＲ７５等の、現在、市販されているＤＶＤレコーダのようなＤＶＤレコーダがある。
【０００３】
現在、“フォーマット”として知られている複数の記録可能ＤＶＤ媒体の種類に属する媒体が利用可能であり、それらには、ＤＶＤ−Ｒ、ＤＶＤ−ＲＷ、ＤＶＤ＋Ｒ、ＤＶＤ＋ＲＷがあり、それら全ては、ＤＶＤ媒体ファミリー、即ち、記録及びファイナライズされるときにＤＶＤ−ＲＯＭプレーヤにより読み取られることができる媒体に属する。記録可能なＤＶＤ媒体は、媒体のコンテンツを表す最終的なテーブルが、ＤＶＤ−ＲＯＭ規格に従って、媒体における所定位置に記録されたときに完成したと言われる。
【０００４】
このような既知のＤＶＤレコーダは、記録可能ＤＶＤ媒体の種類媒体の種類、ＤＶＤ＋Ｒ及びＤＶＤ＋ＲＷに属す媒体に記録され、他の記録可能ＤＶＤ媒体の種類、ＤＶＤ−Ｒ及びＤＶＤ−ＲＷに属す媒体を読み取ることができる。同様に、現在、市販されている他のＤＶＤレコーダは、特に、一部の記録可能ＤＶＤ媒体の種類に属す媒体に記録すること及び他の記録可能ＤＶＤ媒体の種類媒体の種類に属する媒体を読み取ることができる。
【０００５】
ＤＶＤレコーダが種々の媒体の種類のために有効な種々のアクセス機能性の集合を支持する幾つかの理由がある。第１の理由は、その媒体が属す媒体の種類に依存するように媒体へのアクセスがなされ、それ故、特別なソフトウェアモジュールを必要とし、ときどき、異なるハードウェアの特徴を課し、従って、そのＤＶＤレコーダは、ソフトウェア／ハードウェアの制限のために、一部の媒体の種類にアクセスすることが絶対にできないことである。
【０００６】
第２の理由は、フォーマットの一部はそれらフォーマットの間で競争力があり、それ故、ＤＶＤレコーダのメーカーは、一部のフォーマットを支持することによりそれらのフォーマットに特権を与えるようにＤＶＤレコーダをデザインし、他のフォーマットを支持しないことによりそれらのフォーマットを不利にすることを決定することが可能であることである。それ故、ＤＶＤレコーダは、記録可能ＤＶＤ媒体の種類に従って、記録可能ＤＶＤ媒体の種類の媒体に対して、アクセス機能性の集合が記録、読み取り非ファイナライズ及び読み取りファイナライズの全部、一部を含む又は何も含まないことを選択的に行うことが可能であるようにデザインされる。ＤＶＤレコーダのアクセス機能性は、それ故、意図された利用法と共に、ハードウェア及びソフトウェアの制限の両方を反映する。
【０００７】
このために、媒体を受け取るときに、ＤＶＤレコーダは、媒体が記録可能媒体であるかどうかを評価するように識別段階を最初に実行し、次いで、媒体が実際に記録可能媒体であるかどうかを評価するために、その媒体が属する記録可能媒体の種類を認識するように試みる認識段階を実行し、従って、その記録可能媒体の種類のために支持されているアクセス機能性の集合を有効にする。
【０００８】
既知のＤＶＤレコーダが、媒体の種類の認識に基づいて、機能性の集合が可能とされる媒体の種類のみにアクセスすることができることは、不利点である。
【発明の開示】
【発明が解決しようとする課題】
【０００９】
本発明の第１の目的は、付加アクセス機能性を有する記録可能媒体に記録するための装置を提供することである。
【００１０】
本発明の第２の目的は、装置が付加アクセス機能性を取得するように記録可能媒体に記録するための装置に適用されることができる媒体にアクセスするための方法を提供することである。
【課題を解決するための手段】
【００１１】
本発明に従った第１の目的は、請求項１の特徴を有する装置により実現される。
【００１２】
本発明は、現在、市販されているＤＶＤレコーダのようなＤＶＤレコーダはＤＶＤレコーダに認識されている、それ故、そのＤＶＤレコーダがデザインされた時点で認識された媒体の種類のみを認識することができるという認識に基づいている。しかしながら、新しい媒体の種類であって、特に、新しい記録可能ＤＶＤ媒体の種類がときどき市場に投入されるため、新たに投入された記録可能ＤＶＤ媒体の種類に属す記録可能な媒体は、認識されることができず、それ故、ユーザ情報、例えば、記録可能媒体に存在する音楽、映画、ソフトウェア又は他のユーザデータが読み取り可能であることに拘らず、認識段階の失敗がそれ以上処理されないとき、そのようにするための指令が存在するかどうかを読み取ることが可能である。
【００１３】
本発明に従った装置は、それに代えて、ユーザ情報回復ユニットを有することにより、この制限を改善し、そのことは読み取りユニットが記録可能媒体にあるユーザ情報を読み取るように指令するものである。それ故、その装置は、ユーザ情報がその装置が製造され且つデザインされた時点で装置メーカーに既知であったフォーマットである条件で、認識されていない記録可能媒体、例えば、装置がデザインされた時点で既知でなかった媒体の種類に属する媒体に存在するユーザ情報を読み取ることができる。その装置がＤＶＤを記録するための装置である場合、この場合は、例えば、ＤＶＤ＋Ｒ、ＤＶＤ＋Ｒ９に基づく２層記録可能ＤＶＤのようなＤＶＤ媒体ファミリーに属す、来たるべきフォーマットである場合である。それ故、本発明に従った装置は改善された付加機能性を有する。
【００１４】
記録可能媒体の種類のテーブルは記録可能ＤＶＤ媒体の種類を有することが可能である。特に、そのテーブルは次のような媒体の種類、即ち、全てＤＶＤ媒体ファミリーに属する、ＤＶＤ＋Ｒ、ＤＶＤ−Ｒ、ＤＶＤ＋ＲＷ及びＤＶＤ−ＲＷを有することが可能である。しかしながら、そのテーブルは又、ＣＤ記録可能媒体及び／又はブルーレイディスク（ＢＤ）、若しくは異なる媒体ファミリー、即ち、ＣＤ、ＤＶＤ及びＢＤに属す種類の媒体の組み合わせを有することが可能である。
【００１５】
本発明に従って、第２の目的は、請求項４の特徴を有する方法により達成される。認識段階の失敗のときに読み取り段階が存在することにより、ユーザ情報がその装置にとって既知のフォーマットの状態である条件で、認識されない記録可能媒体において存在するユーザ情報を読み取ることが可能になる。その方法が、ＤＶＤに記録するために装置において適用される場合、その方法は、ＤＶＤ＋Ｒ９媒体の種類に属す媒体を読み取ることを可能にし、そのような媒体の種類の媒体が認識されない場合、従って、ＤＶＤに記録するための装置が付加アクセス機能性を取得するようにする。
【００１６】
本発明に従った装置及び方法の以上の及び他の特徴については、以下、図面を参照して詳述することにより明らかになるであろう。
【発明を実施するための最良の形態】
【００１７】
図１は、本発明に従った装置の実施形態を示している。
【００１８】
装置１０は、媒体１１に存在する情報を取得するための読み取りユニット１２と、媒体１１が読み取り可能媒体であるかどうかを評価するための識別ユニット１３と、各々記録可能媒体の種類のための支持されたアクセス機能性の集合を有する記録可能媒体の種類１８のテーブル１７と、媒体１１が記録可能媒体であることを認識ユニット１３が評価した場合に、記録可能媒体が属す記録可能馬体の種類を認識するための認識ユニット１４と、記録可能媒体が属す記録可能媒体の種類の認識において認識媒体１４が成功する場合に支持された機能性１９の関連集合を可能にするためのイネーブルユニット１５と、認識ユニット１４が失敗した場合に、読み取りユニット１２が記録可能媒体に存在するユーザ情報を読み取るように指令するためのユーザ情報回復ユニット１６とを有する。
【００１９】
読み取りユニット１２は、例えば、レーザ又はヘッドのような媒体１１に存在する情報及びそれらの信号からの情報を検索するための回路構成及びソフトウェアコードを担持する信号を生成するための読み出し手段を有することが可能である。
【００２０】
識別ユニット１３は、媒体１１が記録可能媒体であることを示す特有の特徴を媒体が有するかどうかを評価することにより動作することが可能である。例えば、媒体１１はＤＶＤであるが、同じことが他の光ディスクに対して当てはまる場合、この特有の特徴は、ウォッブルとも呼ばれるディスクに存在する螺旋状トラックの径方向の変調であり、その径方向の変調は記録可能ＤＶＤに存在するが、ＤＶＤ−ＲＯＭには存在せず、その記録可能ＤＶＤから対応するウォッブル信号が生成される。それ故、ＤＶＤに記録するための装置において、識別ユニット１３は、そのような回路構成に質問してウォッブル信号及びソフトウェアコードの存在を明らかにするための回路構成を有する。
【００２１】
認識ユニット１４は、記録可能媒体の種類１８についてのテーブル１７に基づいて動作する。
【００２２】
記録可能媒体は、それが属す記録可能媒体の種類１８を示すフォーマット情報を有することが可能である。この場合、テーブル１７に存在する各々の記録可能媒体の種類１８に特有のフォーマット情報のコピーが装置１０に存在するメモリに記憶されることが可能である。それ故、認識ユニット１４は、フォーマット情報を記録可能媒体から検索することにより動作することが可能であり、従って、テーブル１７に存在する記録可能媒体の種類１８が適合するまで、そのようなフォーマット情報をテーブル１７に存在する記録可能媒体の種類１８の特徴的なフォーマット情報と比較することが可能であり、その場合、記録可能媒体が認識され、即ち、認識ユニット１４は成功し、又は、テーブル１７に存在する記録可能媒体の種類１８全てが、何れの適合が生じることなく、調べられ、その場合、記録可能媒体は認識されず、即ち、認識ユニット１４は失敗する。記録可能ＤＶＤの場合、フォーマット情報はＡＤＩＰフレームから引き出される。しかしながら、上記の方法の代替として又はそれと組み合わせて、認識ユニット１４は、読み出し手段により生成された信号を種々の方法で分析することにより及び既知の媒体の種類についての対応する特徴とそれらの信号の特有の特徴を比べることにより、動作することが可能である。
【００２３】
認識ユニット１４は、回路構成及びソフトウェアコードの両方を比較することが可能である。これに関連して、認識ユニット１４は、記録可能媒体の認識に対してのみ責任を負う。例えば、１層／２層の８／１２ｃｍの直径のＣＤ／ＤＶＤのような媒体１１の特徴を識別するための他のユニットが装置において存在することが可能であり、アクセスが行われる前に、一部の段階に介入することが可能である。
【００２４】
認識ユニット１４が、記録可能媒体１１が属す記録可能媒体の種類１８の認識を成功する場合、イネーブルユニット１５は記録可能媒体が属す記録可能媒体の種類１８について支持された機能性の集合を可能にするように介入する。イネーブル機能性は、次いで、ユーザ及び／又はアプリケーションプログラムについて要求されるとき、達成される。好適には、イネーブルユニット１５はソフトウェアコードの形で実施される。
【００２５】
認識装置１４が、記録可能媒体が属す記録可能媒体の認識を失敗した場合、ユーザ情報回復ユニット１６は、読み取りユニット１２がユーザ情報を読み取るように指令するために介入する。少なくとも記録可能媒体がファイナライズされた場合に、装置１０により認識されなかったかどうかに拘わらず、ユーザ情報は記録可能媒体に存在すること及びこのユーザ情報が読み取られることが可能である。
【００２６】
ユーザ情報回復ユニット１６及び認識ユニット１４は一体化されることが可能であり、更に、それらはイネーブルユニット１５と一体化されることが可能であると説明する必要がある。
【００２７】
そのようなユーザ情報回復ユニット１６の存在は、媒体ファミリーに属す記録可能媒体を認識するための装置に適用される場合に特に有用な特徴であり、新しい記録可能媒体の種類は、ときどき現れ、例えば、ＤＶＤ媒体ファミリーのように、将来現れる可能性がある。
【００２８】
テーブル１７は、記録可能媒体の種類１８、即ち、装置１０に認識されている記録可能媒体の種類１８のリストと、各々の記録可能媒体の種類１８のための支持されているアクセス機能性１９の集合とを有する。そのアクセス機能性は、記録、読み取り非ファイナライズ、読み取りファイナライズである。記録可能ＤＶＤ媒体は、ＤＶＤ−ＲＯＭ規格に従って、媒体のコンテンツを示す確定的テーブルが媒体の所定位置に記録されたとき、ファイナライズされたと言われる。
【００２９】
記録可能媒体の種類１８に対して特定の支持されたアクセス機能性１９の集合については、次のような主な可能性が存在する。
−  アクセス機能性全てが存在し、その場合、記録可能媒体の種類１８に対してフルサポートが与えられる。
−  アクセス機能性は何ら存在せず、その場合、記録可能媒体の種類１８に対して何らサポートは与えられない。
−  読み取りファイナライズアクセス機能性のみが存在し、その場合、記録可能媒体の種類１８に対して、読み取りのみの支持が与えられる。
【００３０】
可能性は少ないが、原理的には、記録可能媒体の種類１８に対して、読み取り非ファイナライズ及び読み取りファイナライズの両方は支持されているアクセス機能性１９の集合に存在する。
【００３１】
そのようなテーブル１７は、装置内で、記録のアレイ又はリストの形又は何れの他の適切な形で存在するメモリにおいて記憶される。しかしながら、媒体１１の種類を認識するする段階及び、それ故、可能である機能性に関しては、装置１０が媒体１１にアクセスする方法は、装置１０内に存在するメモリに物理的に記憶されているテーブル１７を用いることさえなく、そのようなテーブル１７の表示を暗黙的に反映する。この場合、そのようなテーブル１７の存在は、各々の既知の媒体の種類に対してどのアクセス機能性が可能である必要があるかを効果的に示すことを意味する。
【００３２】
図２は、本発明に従った媒体をアクセスするための方法についての実施形態を示している。その方法は、識別段階２１と、認識段階２２と、イネーブル段階２６と、読み取り段階２７とを有する。
【００３３】
識別段階２１においては、媒体１１が記録可能媒体であるかどうかが評価される。それが肯定される場合、認識段階２２において、各々の記録可能媒体の種類１８、即ち、記録可能媒体が属す記録可能媒体に対して支持されているアクセス機能性１９の集合を有する記録可能媒体の種類１８のテーブル１７に基づいて認識することがなされる。
【００３４】
記録可能媒体は、それが属す記録可能媒体の種類１８を表すフォーマット情報を有することが可能である。認識段階２２は副段階２３乃至２５を有することが可能であり、それらの副段階においては、それ故、記録可能媒体から検索されたフォーマット情報は、テーブル１７に存在する記録可能媒体の種類１８に特徴的なフォーマット情報と比較される。特に、第１副段階２３においては、記録可能媒体のフォーマット情報は、記録可能媒体の種類ｔ１についてのフォーマット情報と比較され、適合性が存在する場合、記録可能媒体は、その媒体の種類ｔ１に属すとして成功裏に認識され、適合性が存在しない場合、その方法は次の段階に進む。
【００３５】
テーブル１７に存在する記録可能媒体の種類１８が適合し、その場合に、記録可能媒体が成功裏に認識されるか、テーブル１７に存在する記録可能媒体の種類１８全てが、何れの適合が生じることなく調べられ、その場合に、記録可能媒体が認識されない、即ち、認識段階が失敗するまで、副段階２４及び２５は同様の方法が実行される。
【００３６】
記録可能ＤＶＤの場合、フォーマット情報はＡＤＩＰフレームから引き出される。しかしながら、上記の方法の代替として又は上記の方法と組み合わせて、認識ユニット１４は、読み取り手段により生成される信号と種々の方法で分析し、それらの信号の特有の特徴を既知の媒体の種類に対応する特徴と比較することにより動作する。
【００３７】
認識手段が成功する場合、イネーブル段階２６において、記録可能媒体が属す記録可能媒体の種類１８について支持されているアクセス機能性１９の集合が有効になる。認識段階２２が失敗する場合、読み取り段階２７が記録可能媒体に存在するユーザ情報を読み取るために行われる。読み取り段階２７は、媒体１１が記録可能媒体でないかどうかを識別段段階２１が評価した場合に実行される段階と同じであることが可能である。更に、読み取り段階２７は又、ユーザにより又はアプリケーションプログラムにより要求時に実行されるイネーブル段階２６に続く読み取り段階と同じ段階であることが可能である。
【００３８】
本発明については、光ディスク、特に、ＤＶＤに記録するための装置及びアクセスするための対応する方法に関連して説明してきたが、同じ目的を達成するために他の実施形態が代替として用いられることが可能であることは明らかである。本発明の範囲は、それ故、上記の実施形態に限定されるものではなく又、他の種類の情報担体に又は情報の送信に適用されることが可能である。
【００３９】
特許請求の範囲を含むこの明細書において用いている、用語“を有する”は、記載した特徴、完全体、段階又は構成要素の存在を特定すると解釈されるが、１つ又はそれ以上の他の特徴、完全体、段階、構成要素又はそれらの群の存在又は付加を排除するものではない。請求項における要素の単数表現はそのような要素の複数の存在を排除するものではない。更に、本発明は、ハードウェア及びソフトウェアの両方により実施することが可能であり、幾つかの“手段”はハードウェアの同じアイテムにより表されることが可能である。更に、本発明は、各々の及び全ての新規な特徴及びそれらの特徴の組み合わせに属すものである。
【００４０】
本発明については次のように要約することができる。本発明は、記録可能媒体、例えば、記録可能ＤＶＤ媒体の種類に記録するための装置に関し、それらの多くは現在、市販されている。媒体を受け取り、その媒体が記録可能媒体であることが評価されたとき、装置はその媒体を認識することを、即ち、その媒体の種類を認識することを試みる。記録可能媒体が認識されない場合、読み取り動作は、何れにしても実行される。このようにして、装置にとって既知でない記録可能媒体の種類に属す記録可能媒体にアクセスする可能性はオープンのまま保たれ、それにも拘らず、その装置は読み取られることができ、例えば、新たに導入される媒体の種類は装置にとって既知の媒体ファミリーに属すことができる。ＤＶＤに記録するために装置に適用される場合、本発明は、ＤＶＤ＋Ｒ９媒体から読み取られることを可能にする。
【００４１】
本発明は、更に、媒体にアクセスするための方法に関する。
【図面の簡単な説明】
【００４２】
【図１】本発明に従った装置の実施形態を示す図である。
【図２】本発明に従った方法の実施形態を示す図である。
【図１】
2007511862.tif 000003
【図２】
2007511862.tif 000004
【国際調査報告】
2007511862.tif 000005
2007511862.tif 000006
2007511862.tif 000007